(57)【要約】【課題】  表示する画像の特徴に応じて、適切な階調で表示可能な画像処理装置を提供する。【解決手段】  １フレームの画像の信号の輝度成分の信号であるアナログ輝度信号ＡＹＳＩＧをＡ／Ｄ変換回路１００によりディジタル値に変換する。画像データ計測回路２００は、変換されたディジタル値を基に、画像内の輝度値の最大値、最小値、平均値を求める。マイコン２１０は、輝度値の最大値、最小値、平均値に基づいて、基準電圧生成回路２２０がＡ／Ｄ変換回路１００へ供給する基準電圧ＲＥＦＶを変化させるために、基準電圧生成回路２２０を制御する。【選択図】        図２
2005303514.tif 000002
【特許請求の範囲】
【請求項１】
基準電圧を所定の量子化値で除算した量子化単位電圧で、アナログ画像信号の有する電圧を除算することでデジタルデータに順次変換して出力するＡ／Ｄ変換回路と、
前記Ａ／Ｄ変換回路から順次出力される、所定期間内の前記デジタルデータから、前記所定期間のデジタルデータの最大値および最小値を算出する画像データ計測回路と、
前記画像データ計測回路が算出した前記最大値、前記最小値に基づいて、前記基準電圧を変化させる基準電圧生成回路とを備える、画像処理装置。
【請求項２】
前記画像データ計測回路は、前記Ａ／Ｄ変換回路から順次出力される、所定期間内の前記デジタルデータから、前記所定期間のデジタルデータの平均値をさらに算出し、
前記基準電圧生成回路は、前記画像データ計測回路が算出した前記平均値に基づいて、前記基準電圧を変化させる、請求項１に記載の画像処理装置。
【請求項３】
前記基準電圧生成回路は、前記最大値と前記最小値との差の値が第１閾値よりも小さく、かつ、前記平均値が第２閾値よりも小さいとき、または、前記最大値と前記最小値との差の値が第１閾値よりも小さく、かつ、前記平均値が前記第２閾値よりも大きい第３閾値より大きいとき、前記基準電圧を小さくする、請求項２に記載の画像処理装置。
【請求項４】
前記画像データ計測回路が算出した前記最大値および前記最小値を記憶する記憶回路をさらに備え、
前記基準電圧生成回路は、前記記憶回路に記憶されている前記最大値および前記最小値をそれぞれ示す第１最大値および第１最小値と、前記記憶回路に前記最大値および前記最小値が記憶された後に、前記画像データ計測回路が算出した前記所定期間のデジタルデータの最大値および最小値をそれぞれ示す第２最大値および第２最小値とを比較した結果に基づいて、前記基準電圧を変化させる、請求項１に記載の画像処理装置。
【請求項５】
前記基準電圧生成回路は、前記第１最大値と前記第１最小値との差の絶対値と、前記第２最大値と前記第２最小値との差の絶対値との差の値が第４閾値より大きいとき、前記基準電圧を変化させる、請求項４に記載の画像処理装置。
【請求項６】
前記画像データ計測回路が算出した前記最大値、前記最小値および前記平均値を記憶する記憶回路をさらに備え、
前記基準電圧生成回路は、前記記憶回路に記憶されている前記最大値、前記最小値および前記平均値をそれぞれ示す第１最大値、第１最小値および第１平均値と、前記記憶回路に前記最大値、前記最小値および前記平均値が記憶された後に、前記画像データ計測回路が算出した前記所定期間のデジタルデータの最大値、最小値および平均値をそれぞれ示す第２最大値、第２最小値および第２平均値とを比較した結果に基づいて、前記基準電圧を変化させる、請求項２に記載の画像処理装置。
【請求項７】
前記基準電圧生成回路は、前記第１平均値と前記第２平均値との差の値の絶対値が、第５閾値よりも大きいとき、前記基準電圧を変化させる、請求項６に記載の画像処理装置。
【請求項８】
前記所定期間は、前記Ａ／Ｄ変換回路により前記アナログ画像信号の１フレーム分のデジタルデータが出力される期間である、請求項１から請求項７のいずれかに記載の画像処理装置。
【請求項９】
前記アナログ画像信号の１フレーム内の所定領域の座標値を記憶する記憶回路をさらに備え、
前記所定期間は、前記Ａ／Ｄ変換回路により前記所定領域の画像信号のデジタルデータが出力される期間である、請求項１から請求項７のいずれかに記載の画像処理装置。
【請求項１０】
前記記憶回路は、記憶している前記座標値を書き換え可能な構成を有する回路である、請求項９に記載の画像処理装置。
【発明の詳細な説明】
【技術分野】
【０００１】
この発明は、アナログ信号をディジタル信号に変換する画像信号処理回路を備えた画像処理装置に関する。
【背景技術】
【０００２】
最近、テレビジョン受像機、液晶プロジェクター等の映像表示装置に表示される画像の高解像度化、高画質化が進んでいる。たとえば、液晶プロジェクターは、外部からのアナログの映像信号をディジタル信号に変換し、変換されたディジタル信号を利用して、内部の光学回路を動作させて画像を表示する。
【０００３】
高画質な画像を得るために、アナログ信号をディジタル信号に変換するには、高精度なＡ／Ｄ変換回路が求められる。Ａ／Ｄ変換回路の精度は、Ａ／Ｄ変換回路の量子化分解能によって決まる。
【０００４】
Ａ／Ｄ変換回路の量子化分解能を常に最大限に活用する技術が、特開平７−５０５８３号公報（特許文献１）に開示されている。
【特許文献１】特開平７−５０５８３号公報
【発明の開示】
【発明が解決しようとする課題】
【０００５】
特開平７−５０５８３号公報（特許文献１）に開示されている構成では、Ａ／Ｄ変換回路の備えている量子化分解能を最大限に活用できるよう、あらかじめ調整するのみで、リアルタイムに表示する画像の特徴に応じて、Ａ／Ｄ変換回路の量子化分解能を変化させることはできない。
【０００６】
一般的に、画像内の電圧レベルが近い２つの画素にそれぞれ対応する２つのアナログ信号の電圧差が一定値以上ない、すなわち階調差が小さいと、Ａ／Ｄ変換回路により当該２つのアナログ信号は、同じ値のディジタル信号として処理される。
【０００７】
具体的には、Ａ／Ｄ変換回路が２５６の量子化分解能（以下においては、８ビットの量子化分解能とも称する）を有し、Ａ／Ｄ変換回路に１Ｖの基準電圧が供給されているとき、当該Ａ／Ｄ変換回路が、量子化可能な電圧差は、１／２５６＝０．００３９（Ｖ）により、０．００３９Ｖである。すなわち、画像内の電圧レベルが近い２つの画素にそれぞれ対応する２つのアナログ信号の電圧差が０．００３９Ｖ以上ないと、８ビットの量子化分解能のＡ／Ｄ変換回路は、当該２つのアナログ信号を、同じ値のディジタル信号として処理する。すなわち、画像の階調がなくなってしまう。
【０００８】
上記問題は、８ビット以上の、たとえば、１０ビットの量子化分解能を有するＡ／Ｄ変換回路を使用することで解決できるが、１０ビットの量子化分解能を有するＡ／Ｄ変換回路は、８ビットの量子化分解能を有するＡ／Ｄ変換回路に比べ、回路が複雑で、回路規模も増大してしまい、Ａ／Ｄ変換回路の生産コストの増大を招く。
【０００９】
この発明の目的は、表示する画像の特徴に応じて、適切な階調で表示可能な画像処理装置を提供することである。
【課題を解決するための手段】
【００１０】
この発明は、要約すると、画像処理装置であって、基準電圧を所定の量子化値で除算した量子化単位電圧で、アナログ画像信号の有する電圧を除算することでデジタルデータに順次変換して出力するＡ／Ｄ変換回路と、
Ａ／Ｄ変換回路から順次出力される、所定期間内のデジタルデータから、所定期間のデジタルデータの最大値および最小値を算出する画像データ計測回路と、
画像データ計測回路が算出した最大値、最小値に基づいて、基準電圧を変化させる基準電圧生成回路とを備える。
【発明の効果】
【００１１】
本発明によれば、所定期間内に、アナログ画像信号が変換されたデジタルデータの最大値、最小値に基づいて、Ａ／Ｄ変換回路の基準電圧を変化させることによりアナログ画像信号の量子化分解能を変化させることができる。
【００１２】
したがって、表示する画像の特徴に応じて、適切な階調で表示可能な画像処理装置を提供することができる。
【発明を実施するための最良の形態】
【００１３】
以下において、本発明の実施の形態について図面を参照して詳しく説明する。なお、図中同一符号は同一または相当部分を示す。
［実施の形態１］
図１は、Ａ／Ｄ変換の対象となる画像１０を示す図である。
【００１４】
図１を参照して、画像１０は、たとえば、横６４０ドット、縦４８０ドットの画像であるとする。すなわち、画像１０は、横６４０画素、縦４８０画素、すなわち、６４０×４８０＝３０７２００により、３０７２００個の画素で構成される画像である。
【００１５】
図２は、実施の形態１に従う画像処理装置１０００の構成を示したブロック図である。
【００１６】
図２を参照して、画像処理装置１０００は、Ａ／Ｄ変換回路１００と、同期分離回路１１０と、信号処理回路１２０と、フォーマット変換回路１３０と、表示装置１４０とを備える。
【００１７】
Ａ／Ｄ変換回路１００へは、画像１０の輝度成分の信号であるアナログ輝度信号ＡＹＳＩＧが入力される。なお、ここで、「アナログ輝度信号ＡＹＳＩＧ」は、同期信号成分を含んだアナログ輝度信号であるものとする。本実施の形態においては、Ａ／Ｄ変換回路１００は、８ビットの量子化分解能を有しているとする。Ａ／Ｄ変換回路１００は、詳細は後述するが入力されたアナログ輝度信号ＡＹＳＩＧをディジタル信号ＤＹＳＩＧに変換して、同期分離回路１１０へ出力する。ディジタル信号ＤＹＳＩＧは、アナログ輝度信号ＡＹＳＩＧの電圧値を“０”〜“２５５”のディジタル値（以下においては、量子化値とも称する）で示す信号である。以下においては、ディジタル信号ＤＹＳＩＧの示す値が“０”のときは、対応する画素の明るさが最小、すなわち、黒であることを示す。ディジタル信号ＤＹＳＩＧの示す値が“２５５”のときは、対応する画素の明るさが最大、すなわち、白であることを示す。
【００１８】
同期分離回路１１０は、入力されたディジタル信号ＤＹＳＩＧを垂直同期信号ＶＳＹＮＣ、水平同期信号ＨＳＹＮＣ、ディジタル輝度信号ＤＩＧＹＤに分離して、ディジタル輝度信号ＤＩＧＹＤを信号処理回路１２０へ出力する。ディジタル輝度信号ＤＩＧＹＤも、ディジタル信号ＤＹＳＩＧと同様、アナログ輝度信号ＡＹＳＩＧの電圧値を“０”〜“２５５”のディジタル値（量子化値）で示す信号である。
【００１９】
信号処理回路１２０は、入力されたディジタル輝度信号ＤＩＧＹＤに対し、たとえば、ノイズ低減処理等の画像処理を行ない、当該画像処理が行なわれた信号をフォーマット変換回路１３０へ出力する。
【００２０】
フォーマット変換回路１３０は、入力された信号を表示装置１４０が扱うことができる信号に変換して、表示装置１４０へ出力する。
【００２１】
表示装置１４０は、入力された信号に応じた画像を表示する。
【００２２】
画像処理装置１０００は、画像データ計測回路２００と、マイコン２１０と、基準電圧生成回路２２０とをさらに備える。
【００２３】
画像データ計測回路２００へは、垂直同期信号ＶＳＹＮＣと、ディジタル輝度信号ＤＩＧＹＤとが入力される。
【００２４】
図３は、画像データ計測回路２００の内部構成を示す回路図である。
【００２５】
図３を参照して、画像データ計測回路２００は、平均輝度値算出回路２５０を含む。
【００２６】
平均輝度値算出回路２５０は、アキュムレータ２５２と、カウンタ２５４と、除算器２５６とを有する。
【００２７】
アキュムレータ２５２へは、“０”〜“２５５”の範囲のディジタル値を示すディジタル輝度信号ＤＩＧＹＤと、垂直同期信号ＶＳＹＮＣとが入力される。アキュムレータ２５２は、入力される１画素に対応するディジタル輝度信号ＤＩＧＹＤの示すディジタル値を、垂直同期信号ＶＳＹＮＣが入力されるまで順次合計していく。すなわち、アキュムレータ２５２は、ディジタル値に変換された画像１０の有する３０７２００個の画素すべてのディジタル値の合計値を算出する。アキュムレータ２５２は、垂直同期信号ＶＳＹＮＣが入力されると、算出した合計値を示す信号ＴＯＴＡＬを除算器２５６へ出力する。
【００２８】
カウンタ２５４は、“０”〜“２５５”の範囲のディジタル値を示すディジタル輝度信号ＤＩＧＹＤと、垂直同期信号ＶＳＹＮＣとが入力される。カウンタ２５４は、垂直同期信号ＶＳＹＮＣが入力されるまで入力されたディジタル輝度信号ＤＩＧＹＤの示すディジタル値の個数を算出する。すなわち、カウンタ２５４は、画像１０の有する画素の総数である“３０７２００”を算出する。カウンタ２５４は、垂直同期信号ＶＳＹＮＣが入力されると、算出した画素の総数である“３０７２００”を示す信号ＣＯＵＮＴを除算器２５６へ出力する。
【００２９】
除算器２５６は、入力された信号ＴＯＴＡＬの示す合計値を信号ＣＯＵＮＴの示す画素の総数で除算する。すなわち、除算器２５６は、ある時刻に表示装置１４０に表示する画像１０の輝度値（明るさ）の平均値を算出する。除算器２５６は、算出した平均値を示す平均輝度信号ＹＡＶＧをマイコン２１０へ出力する。
【００３０】
画像データ計測回路２００は、最大輝度値算出回路２６０をさらに含む。
【００３１】
最大輝度値算出回路２６０は、比較器２６２と、バッファ２６４とを有する。
【００３２】
比較器２６２へは“０”〜“２５５”の範囲のディジタル値を示すディジタル輝度信号ＤＩＧＹＤと、バッファ２６４からの信号ＴＥＭＰＭＡＸとが入力される。比較器２６２は、ディジタル輝度信号ＤＩＧＹＤの示すディジタル値と、信号ＴＥＭＰＭＡＸの示すディジタル値とを比較し、大きい方のディジタル値を示す信号ＣＰＭＡＸをバッファ２６４へ出力する。バッファ２６４の初期値は、“０”である。バッファ２６４は、垂直同期信号ＶＳＹＮＣが入力されたとき、バッファ２６４が記憶している値を示す最大輝度信号ＹＭＡＸをマイコン２１０へ出力する。すなわち、最大輝度値算出回路２６０は、ある時刻に表示装置１４０に表示する画像１０の輝度値（明るさ）の最大値を算出する。
【００３３】
画像データ計測回路２００は、最小輝度値算出回路２７０をさらに含む。
【００３４】
最小輝度値算出回路２７０は、比較器２７２と、バッファ２７４とを有する。
【００３５】
比較器２７２へは“０”〜“２５５”の範囲のディジタル値を示すディジタル輝度信号ＤＩＧＹＤと、バッファ２７４からの信号ＴＥＭＰＭＩＮとが入力される。比較器２６２は、ディジタル輝度信号ＤＩＧＹＤの示すディジタル値と、信号ＴＥＭＰＭＩＮの示すディジタル値とを比較し、小さい方のディジタル値を示す信号ＣＰＭＩＮをバッファ２７４へ出力する。バッファ２７４の初期値は、“２５５”である。バッファ２７４は、垂直同期信号ＶＳＹＮＣが入力されたとき、バッファ２７４が記憶している値を示す最小輝度信号ＹＭＩＮをマイコン２１０へ出力する。すなわち、最小輝度値算出回路２７０は、ある時刻に表示装置１４０に表示する画像１０の輝度値（明るさ）の最小値を算出する。
【００３６】
再び図２を参照して、マイコン２１０は、詳細は後述するが、入力された平均輝度信号ＹＡＶＧ、最大輝度信号ＹＭＡＸおよび最小輝度信号ＹＭＩＮに基づいて、基準電圧生成回路２２０がＡ／Ｄ変換回路１００へ供給する基準電圧ＲＥＦＶを変化させるための制御信号ＣＴを基準電圧生成回路２２０へ出力する。
【００３７】
基準電圧生成回路２２０は、制御信号ＣＴに応じて、Ａ／Ｄ変換回路１００へ供給する基準電圧ＲＥＦＶを変化させる。基準電圧ＲＥＦＶは、最上位電圧ＶＲＴと最下位電圧ＶＲＢとの差である。
【００３８】
図４は、全体的に階調差が小さく暗い画像のアナログ輝度信号ＡＹＳＩＧとディジタル信号ＤＹＳＩＧが示す量子化値との対応関係を示す図である。
【００３９】
図４（ａ）は、Ａ／Ｄ変換回路１００へ、最上位電圧ＶＲＴが１Ｖ、最下位電圧ＶＲＢが０Ｖ供給されたときの、アナログ輝度信号ＡＹＳＩＧとディジタル信号ＤＹＳＩＧが示す量子化値との対応関係を示す図である。すなわち、Ａ／Ｄ変換回路１００へは、１−０＝０により１Ｖの基準電圧ＲＥＦＶが供給されている。
【００４０】
時刻ｔ０は垂直同期信号が入力された時刻である。時刻ｔｎは、時刻ｔ０に入力された垂直同期信号の次の垂直同期信号が入力された時刻である。すなわち、時刻ｔ０から時刻ｔｎまでの期間は、１フレームの画像信号のアナログ輝度信号ＡＹＳＩＧがＡ／Ｄ変換回路１００へ入力される時間である。
【００４１】
図４（ｂ）は、Ａ／Ｄ変換回路１００へ、最上位電圧ＶＲＴが０．８Ｖ、最下位電圧ＶＲＢが０Ｖ供給されたときの、アナログ輝度信号ＡＹＳＩＧとディジタル信号ＤＹＳＩＧが示す量子化値との対応関係を示す図である。すなわち、Ａ／Ｄ変換回路１００へは、０．８−０＝０．８により０．８Ｖの基準電圧ＲＥＦＶが供給されている。それ以外は、図４（ａ）と同様なので詳細な説明は繰り返さない。
【００４２】
次に、図２、図４（ａ）および図４（ｂ）を用いて、画像処理装置１０００による全体的に暗い画像の階調を適切に表現する階調制御について説明する。Ａ／Ｄ変換回路１００に入力される１フレームの画像信号は、図４（ａ）に示すアナログ輝度信号ＡＹＳＩＧであるとする。Ａ／Ｄ変換回路１００へは、時刻ｔ０〜時刻ｔｎの間にアナログ輝度信号ＡＹＳＩＧが入力されるものとする。
【００４３】
Ａ／Ｄ変換回路１００は、アナログ輝度信号ＡＹＳＩＧが入力されると、８ビットの量子化分解能で、順次、アナログ輝度信号ＡＹＳＩＧをディジタル信号ＤＹＳＩＧに変換して、同期分離回路１１０へ出力する。
【００４４】
同期分離回路１１０は、入力されたディジタル信号ＤＹＳＩＧを垂直同期信号ＶＳＹＮＣ、水平同期信号ＨＳＹＮＣ、ディジタル輝度信号ＤＩＧＹＤに分離して、画像データ計測回路２００へ、垂直同期信号ＶＳＹＮＣと、ディジタル輝度信号ＤＩＧＹＤとを出力する。
【００４５】
画像データ計測回路２００は、入力された垂直同期信号ＶＳＹＮＣと、ディジタル輝度信号ＤＩＧＹＤとに基づいて、前述したように平均輝度信号ＹＡＶＧ、最大輝度信号ＹＭＡＸおよび最小輝度信号ＹＭＩＮを算出して、マイコン２１０へ出力する。
【００４６】
マイコン２１０は、入力された最大輝度信号ＹＭＡＸの示す輝度値の最大値および最小輝度信号ＹＭＩＮの示す輝度値の最大値の差である画像輝度変化幅値を算出する。画像輝度変化幅値は、たとえば、“３０”であるとする。そして、マイコン２１０は、画像輝度変化幅値が所定の変化幅閾値（たとえば、“４０”）より小さく、かつ、平均輝度信号ＹＡＶＧの示す輝度値の平均値が所定の輝度平均値閾値より小さいか否かを判定する。すなわち、マイコン２１０は、アナログ輝度信号ＡＹＳＩＧの元となる画像が全体的に階調差が小さく暗い画像であるか否かを判定する。
【００４７】
マイコン２１０により、アナログ輝度信号ＡＹＳＩＧの元となる画像が全体的に階調差が小さく暗い画像であると判定されると、マイコン２１０は、基準電圧生成回路２２０が供給する最上位電圧ＶＲＴを、たとえば、１．０Ｖから０．８Ｖに下げるように指示する制御信号ＣＴを基準電圧生成回路２２０へ送信する。
【００４８】
基準電圧生成回路２２０は、入力された制御信号ＣＴに応じて、Ａ／Ｄ変換回路１００へ供給する最上位電圧ＶＲＴを、図４（ｂ）に示すように１．０Ｖから０．８Ｖに下げる。すなわち、Ａ／Ｄ変換回路１００へ供給する基準電圧ＲＥＦＶを１．０Ｖから０．８Ｖに下げる。
【００４９】
Ａ／Ｄ変換回路１００は、０．８Ｖの基準電圧で動作し、８ビットの量子化分解能で、順次、アナログ輝度信号ＡＹＳＩＧをディジタル信号ＤＹＳＩＧに変換する。Ａ／Ｄ変換回路１００が、８ビットの量子化分解能を有し、１．０Ｖの基準電圧で動作すると、量子化可能な電圧差は、１／２５６＝０．００３９（Ｖ）により０．００３９Ｖである。Ａ／Ｄ変換回路１００が、８ビットの量子化分解能を有し、０．８Ｖの基準電圧で動作すると、量子化可能な電圧差は、０．８／２５６＝０．００３１（Ｖ）により０．００３１Ｖとなる。したがって、量子化可能な電圧差が小さくなる。すなわち、量子化分解能が向上する。
【００５０】
そのため、０．８Ｖの基準電圧で動作するＡ／Ｄ変換回路１００は、画像内の電圧レベルが近い２つの画素にそれぞれ対応する２つのアナログ信号の電圧差が０．００３９（Ｖ）以上ではなく、０．００３１（Ｖ）以上あれば違う値のディジタル信号として処理するので、階調差の小さい画像を適切にＡ／Ｄ変換できる。
【００５１】
０．８Ｖの基準電圧で動作するＡ／Ｄ変換回路１００が変換したディジタル信号ＤＹＳＩＧは、前述したように同期分離回路１１０でディジタル輝度信号ＤＩＧＹＤとなり、信号処理回路１２０へ入力され、フォーマット変換回路１３０の動作により、表示装置１４０に画像が表示される。
【００５２】
以上説明したように、画像処理装置１０００は、画像の特徴に応じて、Ａ／Ｄ変換回路１００に供給する電圧を変化させることで、階調差の小さい画像を適切な階調で表示することができる。
【００５３】
図５は、全体的に階調差が小さく明るい画像のアナログ輝度信号ＡＹＳＩＧとディジタル信号ＤＹＳＩＧが示す量子化値との対応関係を示す図である。
【００５４】
図５（ａ）は、Ａ／Ｄ変換回路１００へ、最上位電圧ＶＲＴが１Ｖ、最下位電圧ＶＲＢが０Ｖ供給されたときの、アナログ輝度信号ＡＹＳＩＧとディジタル信号ＤＹＳＩＧが示す量子化値との対応関係を示す図である。すなわち、Ａ／Ｄ変換回路１００へは、１−０＝０により１Ｖの基準電圧ＲＥＦＶが供給されている。
【００５５】
時刻ｔ０は垂直同期信号が入力された時刻である。時刻ｔｎは、時刻ｔ０に入力された垂直同期信号の次の垂直同期信号が入力された時刻である。すなわち、時刻ｔ０から時刻ｔｎまでの期間は、１フレームの画像信号のアナログ輝度信号ＡＹＳＩＧがＡ／Ｄ変換回路１００へ入力される時間である。
【００５６】
図５（ｂ）は、Ａ／Ｄ変換回路１００へ、最上位電圧ＶＲＴが１．０Ｖ、最下位電圧ＶＲＢが０．２Ｖ供給されたときの、アナログ輝度信号ＡＹＳＩＧとディジタル信号ＤＹＳＩＧが示す量子化値との対応関係を示す図である。すなわち、Ａ／Ｄ変換回路１００へは、１−０．２＝０．８により０．８Ｖの基準電圧ＲＥＦＶが供給されている。それ以外は、図５（ａ）と同様なので詳細な説明は繰り返さない。
【００５７】
次に、図２、図５（ａ）および図５（ｂ）を用いて、画像処理装置１０００による全体的に明るい画像の階調を適切に表現する階調制御について説明する。Ａ／Ｄ変換回路１００に入力される１フレームの画像信号は、図５（ａ）に示すアナログ輝度信号ＡＹＳＩＧであるとする。Ａ／Ｄ変換回路１００へは、時刻ｔ０〜時刻ｔｎの間にアナログ輝度信号ＡＹＳＩＧが入力されるものとする。
【００５８】
Ａ／Ｄ変換回路１００は、アナログ輝度信号ＡＹＳＩＧが入力されると、８ビットの量子化分解能で、順次、アナログ輝度信号ＡＹＳＩＧをディジタル信号ＤＹＳＩＧに変換して、同期分離回路１１０へ出力する。
【００５９】
同期分離回路１１０は、入力されたディジタル信号ＤＹＳＩＧを垂直同期信号ＶＳＹＮＣ、水平同期信号ＨＳＹＮＣ、ディジタル輝度信号ＤＩＧＹＤに分離して、画像データ計測回路２００へ、垂直同期信号ＶＳＹＮＣと、ディジタル輝度信号ＤＩＧＹＤとを出力する。
【００６０】
画像データ計測回路２００は、入力された垂直同期信号ＶＳＹＮＣと、ディジタル輝度信号ＤＩＧＹＤとに基づいて、前述したように平均輝度信号ＹＡＶＧ、最大輝度信号ＹＭＡＸおよび最小輝度信号ＹＭＩＮを算出して、マイコン２１０へ出力する。
【００６１】
マイコン２１０は、入力された最大輝度信号ＹＭＡＸの示す輝度値の最大値および最小輝度信号ＹＭＩＮの示す輝度値の最大値の差である画像輝度変化幅値を算出する。画像輝度変化幅値は、たとえば、“３０”であるとする。そして、マイコン２１０は、画像輝度変化幅値が所定の変化幅閾値より小さく、かつ、平均輝度信号ＹＡＶＧの示す輝度値の平均値が所定の輝度平均値閾値より大きいか否かを判定する。すなわち、マイコン２１０は、アナログ輝度信号ＡＹＳＩＧの元となる画像が全体的に階調差が小さく明るい画像であるか否かを判定する。
【００６２】
マイコン２１０により、アナログ輝度信号ＡＹＳＩＧの元となる画像が全体的に階調差が小さく明るい画像であると判定されると、マイコン２１０は、基準電圧生成回路２２０が供給する最下位電圧ＶＲＢを、たとえば、０Ｖから０．２Ｖに上げるように指示する制御信号ＣＴを基準電圧生成回路２２０へ送信する。
【００６３】
基準電圧生成回路２２０は、入力された制御信号ＣＴに応じて、Ａ／Ｄ変換回路１００へ供給する最下位電圧ＶＲＢを、図５（ｂ）に示すように０Ｖから０．２Ｖに上げる。すなわち、Ａ／Ｄ変換回路１００へ供給する基準電圧ＲＥＦＶを１．０Ｖから０．８Ｖに下げる。
【００６４】
Ａ／Ｄ変換回路１００は、０．８Ｖの基準電圧で動作し、８ビットの量子化分解能で、順次、アナログ輝度信号ＡＹＳＩＧをディジタル信号ＤＹＳＩＧに変換する。Ａ／Ｄ変換回路１００が、８ビットの量子化分解能を有し、０．８Ｖの基準電圧で動作すると、前述したのと同様に１．０Ｖの基準電圧で動作するのに比べ、量子化可能な電圧差が小さくなる。すなわち、量子化分解能が向上する。
【００６５】
そのため、０．８Ｖの基準電圧で動作するＡ／Ｄ変換回路１００は、画像内の電圧レベルが近い２つの画素にそれぞれ対応する２つのアナログ信号の電圧差が、前述したのと同様０．００３９（Ｖ）以上ではなく、０．００３１（Ｖ）以上あれば違う値のディジタル信号として処理するので、階調差の小さい画像を適切にＡ／Ｄ変換できる。
【００６６】
０．８Ｖの基準電圧で動作するＡ／Ｄ変換回路１００が変換したディジタル信号ＤＹＳＩＧは、前述したように同期分離回路１１０でディジタル輝度信号ＤＩＧＹＤとなり、信号処理回路１２０へ入力され、フォーマット変換回路１３０の動作により、表示装置１４０に画像が表示される。
【００６７】
以上説明したように、画像処理装置１０００は、画像の特徴に応じて、Ａ／Ｄ変換回路１００に供給する電圧を変化させることで、階調差の小さい画像を適切な階調で表示することができる。
［実施の形態２］
実施の形態１では、ある時刻の１フレームの画像について、画像処理を行なう画像処理装置について説明したが、以下においては、時間経過に伴うある時刻のフレームと、ある時刻のフレームの次のフレームとを比較して、画像のダイナミックレンジが大きく変化しても、各フレームの諧調を適切に表現するための階調制御を行なう画像処理装置について説明する。
【００６８】
図６は、実施の形態２に従う画像処理装置２０００の構成を示したブロック図である。
【００６９】
図６を参照して、画像処理装置２０００は、画像処理装置１０００と比較して、記憶回路３００をさらに備える点が異なる。
【００７０】
記憶回路３００へは、画像データ計測回路２００から出力された平均輝度信号ＹＡＶＧ、最大輝度信号ＹＭＡＸおよび最小輝度信号ＹＭＩＮが入力される。
【００７１】
記憶回路３００は、画像データ計測回路２００から出力された平均輝度信号ＹＡＶＧ、最大輝度信号ＹＭＡＸおよび最小輝度信号ＹＭＩＮのそれぞれが示すデータをラッチする機能を有する。それ以外の構成および機能は、画像処理装置１０００と同様なので詳細な説明は繰り返さない。
【００７２】
図７は、ある時刻のフレームおよびある時刻のフレームの次のフレームのアナログ輝度信号とディジタル信号ＤＹＳＩＧが示す量子化値との対応関係を示す図である。
【００７３】
図７（ａ）は、Ａ／Ｄ変換回路１００へ、最上位電圧ＶＲＴが０．８Ｖ、最下位電圧ＶＲＢが０Ｖ供給されたときの、ある時刻のフレームのアナログ輝度信号ＡＹＳＩＧ１とディジタル信号ＤＹＳＩＧが示す量子化値との対応関係を示す図である。すなわち、Ａ／Ｄ変換回路１００へは、０．８−０＝０により０．８Ｖの基準電圧ＲＥＦＶが供給されている。
【００７４】
時刻ｔ０は垂直同期信号が入力された時刻である。時刻ｔ１は、時刻ｔ０に入力された垂直同期信号の次の垂直同期信号が入力された時刻である。すなわち、時刻ｔ０から時刻ｔ１までの期間は、ある時刻のフレームの画像信号のアナログ輝度信号ＡＹＳＩＧ１がＡ／Ｄ変換回路１００へ入力される時間である。
【００７５】
図７（ｂ）は、Ａ／Ｄ変換回路１００へ、最上位電圧ＶＲＴが１Ｖ、最下位電圧ＶＲＢが０Ｖ供給されたときの、図７（ａ）に示すある時刻のフレームの次のフレームのアナログ輝度信号ＡＹＳＩＧ２とディジタル信号ＤＹＳＩＧが示す量子化値との対応関係を示す図である。すなわち、Ａ／Ｄ変換回路１００へは、１−０＝１により１Ｖの基準電圧ＲＥＦＶが供給されている。
【００７６】
時刻ｔ１は図７（ａ）に示すアナログ輝度信号ＡＹＳＩＧ１の終わりを示す垂直同期信号が入力された時刻である。時刻ｔ２は、時刻ｔ１に入力された垂直同期信号の次の垂直同期信号が入力された時刻である。すなわち、時刻ｔ１から時刻ｔ２までの期間は、ある時刻のフレームの次のフレームの画像信号のアナログ輝度信号ＡＹＳＩＧ２がＡ／Ｄ変換回路１００へ入力される時間である。
【００７７】
次に、図６、図７（ａ）および図７（ｂ）を用いて、画像処理装置２０００による、時間経過に伴うある時刻のフレームと、ある時刻のフレームの次のフレームとを比較して、画像のダイナミックレンジが大きく変化しても、各フレームの諧調を適切に表現するための階調制御について説明する。Ａ／Ｄ変換回路１００へは、１フレームの画像信号である図７（ａ）のアナログ輝度信号ＡＹＳＩＧ１、１フレームの画像信号である図７（ｂ）のアナログ輝度信号ＡＹＳＩＧ２の順で画像信号が入力されるとする。具体的には、Ａ／Ｄ変換回路１００へは、時刻ｔ０〜時刻ｔ１の間にアナログ輝度信号ＡＹＳＩＧ１が入力され、時刻ｔ１〜時刻ｔ２の間にアナログ輝度信号ＡＹＳＩＧ２が入力される。
【００７８】
Ａ／Ｄ変換回路１００は、時刻ｔ０〜時刻ｔ１の間にアナログ輝度信号ＡＹＳＩＧ１が入力されると、８ビットの量子化分解能で、順次、アナログ輝度信号ＡＹＳＩＧ１をディジタル信号ＤＹＳＩＧに変換して、同期分離回路１１０へ出力する。
【００７９】
同期分離回路１１０は、アナログ輝度信号ＡＹＳＩＧ１に対応する入力されたディジタル信号ＤＹＳＩＧを垂直同期信号ＶＳＹＮＣ、水平同期信号ＨＳＹＮＣ、ディジタル輝度信号ＤＩＧＹＤに分離して、画像データ計測回路２００へ、垂直同期信号ＶＳＹＮＣと、ディジタル輝度信号ＤＩＧＹＤとを出力する。
【００８０】
画像データ計測回路２００は、アナログ輝度信号ＡＹＳＩＧ１に対応する入力された垂直同期信号ＶＳＹＮＣと、ディジタル輝度信号ＤＩＧＹＤとに基づいて、前述したように平均輝度信号ＹＡＶＧ、最大輝度信号ＹＭＡＸおよび最小輝度信号ＹＭＩＮを算出して、マイコン２１０および記憶回路３００へ出力する。
【００８１】
記憶回路３００は、アナログ輝度信号ＡＹＳＩＧ１に対応する入力された平均輝度信号ＹＡＶＧ、最大輝度信号ＹＭＡＸおよび最小輝度信号ＹＭＩＮがそれぞれ示す値をラッチする。
【００８２】
Ａ／Ｄ変換回路１００は、時刻ｔ１〜時刻ｔ２の間にアナログ輝度信号ＡＹＳＩＧ２が入力されると、８ビットの量子化分解能で、順次、アナログ輝度信号ＡＹＳＩＧ２をディジタル信号ＤＹＳＩＧに変換して、同期分離回路１１０へ出力する。
【００８３】
同期分離回路１１０は、アナログ輝度信号ＡＹＳＩＧ２に対応する入力されたディジタル信号ＤＹＳＩＧを垂直同期信号ＶＳＹＮＣ、水平同期信号ＨＳＹＮＣ、ディジタル輝度信号ＤＩＧＹＤに分離して、画像データ計測回路２００へ、垂直同期信号ＶＳＹＮＣと、ディジタル輝度信号ＤＩＧＹＤとを出力する。
【００８４】
画像データ計測回路２００は、アナログ輝度信号ＡＹＳＩＧ２に対応する入力された垂直同期信号ＶＳＹＮＣと、ディジタル輝度信号ＤＩＧＹＤとに基づいて、前述したように平均輝度信号ＹＡＶＧ、最大輝度信号ＹＭＡＸおよび最小輝度信号ＹＭＩＮを算出して、マイコン２１０および記憶回路３００へ出力する。
【００８５】
記憶回路３００は、アナログ輝度信号ＡＹＳＩＧ２に対応する入力された平均輝度信号ＹＡＶＧ、最大輝度信号ＹＭＡＸおよび最小輝度信号ＹＭＩＮがそれぞれ示す値をラッチする。すなわち、記憶回路３００が、ラッチしていたアナログ輝度信号ＡＹＳＩＧ１に対応する平均輝度信号ＹＡＶＧ、最大輝度信号ＹＭＡＸおよび最小輝度信号ＹＭＩＮがそれぞれ示す値は消去される。
【００８６】
マイコン２１０は、記憶回路３００がアナログ輝度信号ＡＹＳＩＧ２に対応する平均輝度信号ＹＡＶＧ、最大輝度信号ＹＭＡＸおよび最小輝度信号ＹＭＩＮがそれぞれ示す値をラッチする前に、記憶回路３００から、記憶回路３００に記憶されているアナログ輝度信号ＡＹＳＩＧ１に対応する平均輝度信号ＹＡＶＧ、最大輝度信号ＹＭＡＸおよび最小輝度信号ＹＭＩＮがそれぞれ示す値を読み出す。
【００８７】
そして、マイコン２１０は、アナログ輝度信号ＡＹＳＩＧ１に対応する最大輝度信号ＹＭＡＸの示す輝度値の最大値と、アナログ輝度信号ＡＹＳＩＧ１に対応する最小輝度信号ＹＭＩＮの示す輝度値の最大値との差である第１画像輝度変化幅値を算出する。第１画像輝度変化幅値は、たとえば、“３０”であるとする。
【００８８】
その後、マイコン２１０は、アナログ輝度信号ＡＹＳＩＧ２に対応する入力された最大輝度信号ＹＭＡＸの示す輝度値の最大値と、アナログ輝度信号ＡＹＳＩＧ２に対応する最小輝度信号ＹＭＩＮの示す輝度値の最大値との差である第２画像輝度変化幅値を算出する。第２画像輝度変化幅値は、たとえば、“２００”であるとする。
【００８９】
そして、マイコン２１０は、第１画像輝度変化幅値と第２画像輝度変化幅値との差であるフレーム間輝度変化値を算出する。このとき、フレーム間輝度変化値は、３０−２００＝−１７０である。マイコン２１０は、フレーム間輝度変化値の絶対値（“１７０”）が所定のフレーム間輝度変化閾値（たとえば、“１５０”）より大きいか否かを判定する。すなわち、マイコン２１０は、連続する２つのフレームのダイナミックレンジの変化が大きいか否かを判定する。
【００９０】
なお、マイコン２１０が、連続する２つのフレームのダイナミックレンジの変化が大きいと判定する方法には、前述した方法の他に別の方法もある。以下にその別の方法を説明する。
【００９１】
マイコン２１０は、記憶回路３００がアナログ輝度信号ＡＹＳＩＧ２に対応する平均輝度信号ＹＡＶＧ、最大輝度信号ＹＭＡＸおよび最小輝度信号ＹＭＩＮがそれぞれ示す値をラッチする前に、記憶回路３００から、記憶回路３００に記憶されているアナログ輝度信号ＡＹＳＩＧ１に対応する平均輝度信号ＹＡＶＧ、最大輝度信号ＹＭＡＸおよび最小輝度信号ＹＭＩＮがそれぞれ示す値を読み出す。
【００９２】
そして、マイコン２１０は、アナログ輝度信号ＡＹＳＩＧ１に対応する平均輝度信号ＹＡＶＧの示す輝度値の平均値である第１輝度平均値を算出する。第１輝度平均値は、たとえば、“５０”であるとする。
【００９３】
その後、マイコン２１０は、アナログ輝度信号ＡＹＳＩＧ２に対応する入力された平均輝度信号ＹＡＶＧの示す輝度値の平均値である第２輝度平均値を算出する。第２輝度平均値は、たとえば、“１６０”であるとする。
【００９４】
そして、マイコン２１０は、第１輝度平均値と第２輝度平均値との差であるフレーム間平均輝度変化値を算出する。このとき、フレーム間平均輝度変化値は、５０−１６０＝−１１０である。マイコン２１０は、フレーム間平均輝度変化値の絶対値（“１１０”）が所定のフレーム間平均輝度変化閾値（たとえば、“１００”）より大きいか否かを判定する。すなわち、マイコン２１０は、連続する２つのフレームのダイナミックレンジの変化が大きいか否かを判定する。以上が、マイコン２１０による連続する２つのフレームのダイナミックレンジの変化が大きいと判定する別の方法である。
【００９５】
マイコン２１０は、連続する２つのフレームのダイナミックレンジの変化が大きいと判定すると、基準電圧生成回路２２０が供給する基準電圧ＲＥＦＶを変化させる。すなわち、連続する２つのフレームのダイナミックレンジの変化が小さいと、基準電圧生成回路２２０は、供給する基準電圧ＲＥＦＶを変化させない。
したがって、頻繁にＡ／Ｄ変換回路１００に供給される基準電圧ＲＥＦＶは変化しないので、表示装置に表示される画像のちらつきを防止することができる。
【００９６】
マイコン２１０により、連続する２つのフレームのダイナミックレンジの変化が大きいと判定され、算出されたフレーム間輝度変化値またはフレーム間平均輝度変化値が負のときは、マイコン２１０は、基準電圧生成回路２２０が供給する基準電圧ＲＥＦＶを上げる（たとえば、最上位電圧ＶＲＴを０．８Ｖから１．０Ｖに上げる）ように指示する制御信号ＣＴを基準電圧生成回路２２０へ送信する。
【００９７】
一方、マイコン２１０により、連続する２つのフレームのダイナミックレンジの変化が大きいと判定され、算出されたフレーム間輝度変化値またはフレーム間平均輝度変化値が正のときは、マイコン２１０は、基準電圧生成回路２２０が供給する基準電圧ＲＥＦＶを下げる（たとえば、最上位電圧ＶＲＴを１．０Ｖから０．８Ｖに下げる）ように指示する制御信号ＣＴを基準電圧生成回路２２０へ送信する。
【００９８】
基準電圧生成回路２２０は、入力された制御信号ＣＴに応じて、Ａ／Ｄ変換回路１００へ供給する基準電圧ＲＥＦＶを変化させる。
【００９９】
Ａ／Ｄ変換回路１００は、基準電圧生成回路２２０によって変化させられた基準電圧ＲＥＦＶで動作し、アナログ輝度信号ＡＹＳＩＧ２をＡ／Ｄ変換する。すなわち、Ａ／Ｄ変換回路１００は、連続する２つのフレームのダイナミックレンジの変化が大きく変化しても、各フレームの階調を適切に表現するようＡ／Ｄ変換できる。
【０１００】
基準電圧ＲＥＦＶで動作するＡ／Ｄ変換回路１００が変換したディジタル信号ＤＹＳＩＧは、前述したように同期分離回路１１０でディジタル輝度信号ＤＩＧＹＤとなり、信号処理回路１２０へ入力され、フォーマット変換回路１３０の動作により、表示装置１４０に画像が表示される。
【０１０１】
以上説明したように、画像処理装置２０００は、連続する２つのフレームの特徴（ダイナミックレンジの変化の大きさ）に応じて、Ａ／Ｄ変換回路１００に供給する電圧を変化させることで、各フレームの階調を適切な階調で表現することができる。
［実施の形態３］
実施の形態１および実施の形態２では、１フレームの画像全体の情報から、階調制御を行なう画像処理装置について説明したが、以下においては、フレーム内の所定領域のみの情報から階調制御を行なう画像処理装置について説明する。
【０１０２】
図８は、Ａ／Ｄ変換の対象となる画像１０内に領域１０ｎを示した図である。
【０１０３】
図８を参照して、画像１０は、図１に示したのと同様なので詳細な説明は繰り返さない。領域１０ｎのサイズは、たとえば、横２４０ドット、縦１６０ドットであるとする。すなわち、領域１０ｎは、横２４０画素、縦１６０画素、すなわち、２４０×１６０＝３８４００により、３８４００個の画素を有する。
【０１０４】
図９は、実施の形態３に従う画像処理装置１０００ａの構成を示したブロック図である。
【０１０５】
図９を参照して、画像処理装置１０００ａは、画像処理装置１０００と比較して、画像データ計測回路２００の代わりに画像データ計測回路２００ａを備える点と、同期分離回路１１０から水平同期信号ＨＳＹＮＣが出力され、計測データ計測回路２００ａに入力される点とが異なる。それ以外の構成は、画像処理装置１０００と同様なので詳細な説明は繰り返さない。
【０１０６】
図１０は、画像データ計測回路２００ａの内部構成を示す回路図である。
【０１０７】
図１０を参照して、画像データ計測回路２００ａは、画像データ計測回路２００と比較して、所定領域データ判定回路２８０をさらに備える点が異なる。それ以外の構成は、画像データ計測回路２００と同様なので詳細な説明は繰り返さない。
【０１０８】
所定領域データ判定回路２８０は、レジスタ２８２と、対象データ判定回路２８４とを含む。
【０１０９】
レジスタ２８２は、図８に示した領域１０ｎ内の座標値を記憶する。具体的には、レジスタ２８２は、領域１０ｎ内の３８４００個の画素のうち、画像データ計測回路２００ａに入力される、たとえば、１０００１番目〜１０２４０番目の画素に対応するデータを特定する情報を、縦のドット数分、すなわち、１６０個記憶している。１６０個の情報は、所定の順番に順序付けられており、１番目の情報は、座標値（１６０，１６０）〜座標値（１６０，３１９）の画素にそれぞれ対応するデータを特定する情報である。１６０番目の情報は、座標値（３９９，１６０）〜座標値（３９９，３１９）の画素にそれぞれ対応するデータを特定する情報である。
【０１１０】
なお、レジスタ２８２は、記憶している情報を外部から書き換え可能な回路で構成されている。したがって、領域１０ｎのサイズおよび位置は自由に変更可能である。
【０１１１】
対象データ判定回路２８４へは、ディジタル輝度信号ＤＩＧＹＤおよび水平同期信号ＨＳＹＮＣが入力される。対象データ判定回路２８４は、１フレームのうちの１６１番目の水平同期信号ＨＳＹＮＣが入力されると、レジスタ２８２に記憶されている１６０個の情報のうちの１番目の情報に基づいて、１番目の情報が特定するデータのみを平均輝度値算出回路２５０、最大輝度値算出回路２６０および最小輝度値算出回路２７０へ出力する。
【０１１２】
対象データ判定回路２８４は、１フレームのうちの１６２番目の水平同期信号ＨＳＹＮＣが入力されると、レジスタ２８２に記憶されている１６０個の情報のうちの２番目の情報に基づいて、２番目の情報が特定するデータのみを平均輝度値算出回路２５０、最大輝度値算出回路２６０および最小輝度値算出回路２７０へ出力する。すなわち、対象データ判定回路２８４は、領域１０ｎに対応した水平同期信号ＨＳＹＮＣが入力される毎に、レジスタ２８２に記憶されている１番目〜１６０番目の情報に基づいて、当該情報が特定するデータのみを平均輝度値算出回路２５０、最大輝度値算出回路２６０および最小輝度値算出回路２７０へ出力する。
【０１１３】
したがって、画像データ計測回路２００ａは、平均輝度値算出回路２５０、最大輝度値算出回路２６０および最小輝度値算出回路２７０は、それぞれ、領域１０ｎ内における、輝度値の平均値、輝度値の最大値および輝度値の最小値の算出が可能となる。
【０１１４】
再び図９を参照して、画像データ計測回路２００ａ以外の、マイコン２１０、基準電圧生成回路２２０、Ａ／Ｄ変換回路１００、同期分離回路１１０、信号処理回路１２０、フォーマット変換回路１３０、表示装置１４０の動作は、画像処理装置１０００と同様なので詳細な説明は繰り返さない。
【０１１５】
したがって、画像処理装置１０００ａは、フレーム内の所定領域のみの画素の情報からフレーム内の所定領域内に表示される階調差の小さい画像を適切に表示することができる。
【０１１６】
図１１は、実施の形態３に従う画像処理装置２０００ａの構成を示したブロック図である。
【０１１７】
図１１を参照して、画像処理装置２０００ａは、画像処理装置２０００と比較して、画像データ計測回路２００の代わりに画像データ計測回路２００ａを備える点と、同期分離回路１１０から水平同期信号ＨＳＹＮＣが出力され、計測データ計測回路２００ａに入力される点とが異なる。それ以外の構成は、画像処理装置２０００と同様なので詳細な説明は繰り返さない。
【０１１８】
画像データ計測回路２００ａの動作は、前述した動作と同様なので詳細な説明は繰り返さない。また、画像処理装置２０００ａは、画像処理装置２０００と同様な動作を行なうので、詳細な説明は繰り返さない。
【０１１９】
したがって、画像処理装置２０００は、連続する２つのフレーム内の所定領域のみの画像のダイナミックレンジの変化の大きさに応じて、Ａ／Ｄ変換回路１００に供給する電圧を変化させることで、各フレームの階調を適切に表現することができる。
【０１２０】
画像処理装置１０００ａおよび画像処理装置２０００ａは、たとえば、横縦比４：３のサイズの表示領域に、横縦比１６：９のサイズの画像を表示するときなどに有効である。この場合、横縦比１６：９の画像以外の領域は、一般的に、黒であるため、画像処理装置１０００ａおよび画像処理装置２０００ａは、画像が表示されている部分のみの情報から、当該画像の階調差を適切に表示することができる。
【０１２１】
また、画像処理装置１０００ａおよび画像処理装置２０００ａは、たとえば、２つの動画像を同時に表示するピクチャー・イン・ピクチャーを行なうとき、親画面と子画面にまったく種類の異なる画像が表示されるときに有効である。この場合、子画面の領域に対して、画像処理装置１０００ａまたは画像処理装置２０００ａが前述の処理を行なえば、子画面に表示される動画像の階調差を適切に表示することができる。
【０１２２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２３】
【図１】Ａ／Ｄ変換の対象となる画像を示す図である。
【図２】実施の形態１に従う画像処理装置の構成を示したブロック図である。
【図３】画像データ計測回路の内部構成を示す回路図である。
【図４】全体的に階調差が小さく暗い画像のアナログ輝度信号とディジタル信号が示す量子化値との対応関係を示す図である。
【図５】全体的に階調差が小さく明るい画像のアナログ輝度信号とディジタル信号が示す量子化値との対応関係を示す図である。
【図６】実施の形態２に従う画像処理装置の構成を示したブロック図である。
【図７】ある時刻のフレームおよびある時刻のフレームの次のフレームのアナログ輝度信号とディジタル信号が示す量子化値との対応関係を示す図である。
【図８】Ａ／Ｄ変換の対象となる画像内に領域を示した図である。
【図９】実施の形態３に従う画像処理装置の構成を示したブロック図である。
【図１０】画像データ計測回路の内部構成を示す回路図である。
【図１１】実施の形態３に従う画像処理装置の構成を示したブロック図である。
【符号の説明】
【０１２４】
１０  画像、１００  Ａ／Ｄ変換回路、１１０  同期分離回路、１２０  信号処理回路、１３０  フォーマット変換回路、１４０  表示装置、２００，２００ａ  画像データ計測回路、２１０  マイコン、２２０  基準電圧生成回路、２５０  平均輝度値算出回路、２６０  最大輝度値算出回路、２７０  最小輝度値算出回路、２８０  所定領域データ判定回路、２８２  レジスタ、２８４  対象データ判定回路、３００  記憶回路、１０００，１０００ａ，２０００，２０００ａ  画像処理装置。
【図１】
2005303514.tif 000003
【図２】
2005303514.tif 000004
【図３】
2005303514.tif 000005
【図４】
2005303514.tif 000006
【図５】
2005303514.tif 000007
【図６】
2005303514.tif 000008
【図７】
2005303514.tif 000009
【図８】
2005303514.tif 000010
【図９】
2005303514.tif 000011
【図１０】
2005303514.tif 000012
【図１１】
2005303514.tif 000013